(57)【要約】【課題】一画面に表示しきれない情報群の一覧性を向上させること。【解決手段】本表示手法では、情報群Ａ〜Ｄの表示順序にしたがって、表示順序の早い情報Ａをウィンドウ１０１に表示し、そのつぎに表示順序の早い情報Ｂをウィンドウ１０２に表示する。また、ウィンドウ１０１，１０２に非表示となる情報Ｃ，Ｄについては、情報Ｃ，Ｄを簡略化してあらわすボタン１０３，１０４をポップアップ表示可能な状態で表示画面１００に表示する。これにより、情報群Ａ〜Ｄ全体をユーザが直感的に把握できるようになり、情報群Ａ〜Ｄの一覧性を向上させる。【選択図】図１
2010198295.tif 000002
【特許請求の範囲】
【請求項１】
コンピュータを、
表示対象となる情報群を取得する取得手段、
前記取得手段によって取得された情報群の表示順序と、前記情報を表示するための表示領域の一画面に表示可能な表示数とに基づいて、前記情報群を、前記表示領域に表示する第１の情報と前記表示領域に表示しない第２の情報とに分類する分類手段、
前記分類手段によって分類された第２の情報と当該第２の情報を簡略化してあらわすシンボルとを関連付ける関連付け手段、
画面内の前記表示領域に前記第１の情報を表示するとともに、前記画面内の前記表示領域とは異なる残余の領域に前記関連付け手段によって前記第２の情報と関連付けられたシンボルを表示する表示手段、
として機能させることを特徴とする情報表示プログラム。
【請求項２】
前記分類手段は、
前記情報群を、当該情報群の表示順序の早いものから順に、前記表示領域の表示数分の情報を前記第１の情報に分類し、残余の情報を前記第２のサマリ情報に分類することを特徴とする請求項１に記載の情報表示プログラム。
【請求項３】
前記コンピュータを、
前記画面の解像度に基づいて、前記情報を表示するための表示領域の表示数を設定する設定手段として機能させ、
前記分類手段は、
前記情報群の表示順序と、前記設定手段によって設定された表示領域の表示数とに基づいて、前記情報群を前記第１および第２の情報に分類することを特徴とする請求項１または２に記載の情報表示プログラム。
【請求項４】
表示対象となる情報群を取得する取得手段と、
前記取得手段によって取得された情報群の表示順序と、前記情報を表示するための表示領域の一画面に表示可能な表示数とに基づいて、前記情報群を、前記表示領域に表示する第１の情報と前記表示領域に表示しない第２の情報とに分類する分類手段と、
前記分類手段によって分類された第２の情報と当該第２の情報を簡略化してあらわすシンボルとを関連付ける関連付け手段と、
画面内の前記表示領域に前記第１の情報を表示するとともに、前記画面内の前記表示領域とは異なる残余の領域に前記関連付け手段によって前記第２の情報と関連付けられたシンボルを表示する表示手段と、
を備えることを特徴とする情報表示装置。
【請求項５】
制御手段および記憶手段を備えるコンピュータが、
前記制御手段により、表示対象となる情報群を取得して、前記記憶手段に記憶する取得工程と、
前記制御手段により、前記取得工程によって取得された情報群の表示順序と、前記情報を表示するための表示領域の一画面に表示可能な表示数とに基づいて、前記情報群を、前記表示領域に表示する第１の情報と前記表示領域に表示しない第２の情報とに分類して、前記記憶手段に記憶する分類工程と、
前記制御手段により、前記分類工程によって分類された第２の情報と当該第２の情報を簡略化してあらわすシンボルとを関連付けて、前記記憶手段に記憶する関連付け工程と、
前記制御手段により、画面内の前記表示領域に前記第１の情報を表示するとともに、前記画面内の前記表示領域とは異なる残余の領域に前記関連付け手段によって前記第２の情報と関連付けられたシンボルを表示する表示工程と、
を実行することを特徴とする情報表示方法。
【発明の詳細な説明】
【技術分野】
【０００１】
本開示技術は、情報を表示する情報表示プログラム、情報表示装置、および情報表示方法に関する。
【背景技術】
【０００２】
近年、医療機関では、医師が診療の経過を記入していた紙のカルテを電子化して管理する電子カルテシステムが導入されている。電子カルテシステムでは、利用者（たとえば、医師）が患者の状況を迅速に把握することを目的として、過去の診療内容を要約したサマリ情報を表示する機能がある。
【０００３】
ところが、表示対象となるサマリ情報は、患者の処方歴、処置歴、注射歴、各種検査の結果など様々である。このため、一画面にすべてのサマリ情報を表示できない場合が多い。そこで、従来においては、表示画面に表示される情報の閲覧時における利用者の利便性の向上を図る技術が各種開示されている。
【０００４】
具体的には、たとえば、心電図の解析レポートにおいて、解析により得られた数値を単に並べるのではなく、解析結果から推定される症例を、その重症度が直感的に把握できるように表示する従来技術がある（たとえば、下記特許文献１参照。）。
【０００５】
なお、一般的に「患者」とは病人や怪我人のことを指すが、本明細書における説明では、妊産婦や健康診断の受診者などの健常者も含み、電子カルテシステムでのカルテデータ入力対象者を総称して説明の便宜上「患者」というものとする。
【先行技術文献】
【特許文献】
【０００６】
【特許文献１】特開２００７−２０７９９号公報
【発明の概要】
【発明が解決しようとする課題】
【０００７】
しかしながら、上述した特許文献１に記載の従来技術では、一画面に表示しきれない情報を表示させるためには、表示内容をスクロールさせるなどの画面操作が必要となる。特に、大量の情報を閲覧する場合には画面操作数が多くなり、利用者にとって非常に面倒な作業となっていたという問題がある。
【０００８】
また、必要とする情報が画面内に表示されていない場合、利用者が表示内容をスクロールさせて該情報を探すことになる。ところが、必要としている情報が、隠れている部分のどの位置にあるのかを利用者が把握していないことが多く、該情報を閲覧するまでに時間がかかる場合があるという問題がある。
【０００９】
本開示技術は、上述した従来技術による問題点を解消するため、一画面に表示しきれない情報群の一覧性を向上させることができる情報表示プログラム、情報表示装置、および情報表示方法を提供することを目的とする。
【課題を解決するための手段】
【００１０】
上述した課題を解決し、目的を達成するため、本開示技術は、表示対象となる情報群を取得し、取得された情報群の表示順序と、前記情報を表示するための表示領域の一画面に表示可能な表示数とに基づいて、前記情報群を、前記表示領域に表示する第１の情報と前記表示領域に表示しない第２の情報とに分類し、分類された第２の情報と当該第２の情報を簡略化してあらわすシンボルとを関連付け、画面内の前記表示領域に前記第１の情報を表示するとともに、前記画面内の前記表示領域とは異なる残余の領域に前記第２の情報と関連付けられたシンボルを表示することを特徴とする。
【００１１】
本開示技術によれば、一画面に表示しきれない第２の情報を直感的に認識できるシンボルとして、第１の情報とともに表示画面に表示することができる。
【発明の効果】
【００１２】
本情報表示プログラム、情報表示装置、および情報表示方法によれば、一画面に表示しきれない情報群の一覧性を向上させることができるという効果を奏する。
【図面の簡単な説明】
【００１３】
【図１】本表示手法の概要を示す説明図である。
【図２】情報表示装置のハードウェア構成を示すブロック図である。
【図３】情報表示装置の機能的構成を示すブロック図である。
【図４】各種履歴ＤＢの記憶内容の一例を示す説明図である。
【図５】サマリ情報群の一例を示す説明図である。
【図６】シンボルテーブルの一例を示す説明図である。
【図７】関連付け結果テーブルの一例を示す説明図である。
【図８】画面テンプレートの一例を示す説明図である。
【図９】病名テーブルの記憶内容の一例を示す説明図である。
【図１０】オーダ回数ＤＢの記憶内容の一例を示す説明図である。
【図１１】所属科テーブルの記憶内容の一例を示す説明図である。
【図１２】クリック回数ＤＢの記憶内容の一例を示す説明図である。
【図１３】重み付け係数テーブルの一例を示す説明図である。
【図１４】優先度テーブルの一例を示す説明図である。
【図１５】表示数テーブルの一例を示す説明図である。
【図１６】電子カルテシステムの画面例を示す説明図である。
【図１７】サマリ画面の一例を示す説明図である。
【図１８】情報表示装置の情報表示処理手順の一例を示すフローチャートである。
【図１９】表示順序決定処理の具体的処理手順の一例を示す説明図である。
【発明を実施するための形態】
【００１４】
以下に添付図面を参照して、この発明にかかる情報表示プログラム、情報表示装置、および情報表示方法の好適な実施の形態を詳細に説明する。
【００１５】
（本表示手法の概要）
まず、本表示手法の概要について説明する。図１は、本表示手法の概要を示す説明図である。図１において、情報群Ａ〜Ｄは、表示対象となる情報群であり、表示サイズが表示画面１００の画面サイズより大きい情報群である。また、情報群Ａ〜Ｄには、表示画面１００に表示する際の表示順序が設定されている。ただし、情報群Ａ〜Ｄの表示順序は、閲覧者の属性や各情報の内容などに応じて、その都度設定される。
【００１６】
また、表示画面１００内のウィンドウ１０１，１０２は、情報Ａ〜Ｄを表示するための表示領域である。情報群Ａ〜Ｄは、表示順序が早い情報から順にウィンドウ１０１，１０２に表示される。ここでは、ウィンドウ１０１に情報Ａが表示され、ウィンドウ１０２に情報Ｂが表示される。
【００１７】
一方、ウィンドウ１０１，１０２に表示されない情報Ｃ，Ｄについては、情報Ｃ，Ｄを簡略化してあらわすボタン１０３，１０４を表示画面１００に表示する。すなわち、本表示手法では、情報群Ａ〜Ｄのうち一画面に表示しきれない情報Ｃ，Ｄをボタン化して表示画面１００に表示する。
【００１８】
これにより、情報群Ａ〜Ｄの一覧性が向上し、情報群Ａ〜Ｄ全体をユーザが直感的に把握できるようになる。また、ユーザの操作入力により、ボタン１０３，１０４をクリックすることで、非表示となっている情報Ｃ，Ｄをポップアップ表示することができる。
【００１９】
たとえば、ボタン１０３をクリックすることで、非表示となっている情報Ｃをウィンドウ１０６にポップアップ表示することができる。これにより、非表示の情報Ｃ，Ｄを表示させるために、表示内容をスクロールさせる面倒な画面操作が不要となり、ユーザの利便性を向上させることができる。
【００２０】
（情報表示装置のハードウェア構成）
つぎに、実施の形態にかかる情報表示装置２００のハードウェア構成について説明する。図２は、情報表示装置のハードウェア構成を示すブロック図である。図２において、情報表示装置２００は、ＣＰＵ（Ｃｅｎｔｒａｌ  Ｐｒｏｃｅｓｓｉｎｇ  Ｕｎｉｔ）２０１と、ＲＯＭ（Ｒｅａｄ‐Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、磁気ディスクドライブ２０４と、磁気ディスク２０５と、光ディスクドライブ２０６と、光ディスク２０７と、ディスプレイ２０８と、Ｉ／Ｆ（Ｉｎｔｅｒｆａｃｅ）２０９と、キーボード２１０と、マウス２１１と、スキャナ２１２と、プリンタ２１３と、を備えている。また、各構成部はバス２２０によってそれぞれ接続されている。
【００２１】
ここで、ＣＰＵ２０１は、情報表示装置２００の全体の制御を司る。ＲＯＭ２０２は、ブートプログラムなどのプログラムを記憶している。ＲＡＭ２０３は、ＣＰＵ２０１のワークエリアとして使用される。磁気ディスクドライブ２０４は、ＣＰＵ２０１の制御にしたがって磁気ディスク２０５に対するデータのリード／ライトを制御する。磁気ディスク２０５は、磁気ディスクドライブ２０４の制御で書き込まれたデータを記憶する。
【００２２】
光ディスクドライブ２０６は、ＣＰＵ２０１の制御にしたがって光ディスク２０７に対するデータのリード／ライトを制御する。光ディスク２０７は、光ディスクドライブ２０６の制御で書き込まれたデータを記憶したり、光ディスク２０７に記憶されたデータをコンピュータに読み取らせたりする。
【００２３】
ディスプレイ２０８は、カーソル、アイコンあるいはツールボックスをはじめ、文書、画像、機能情報などのデータを表示する。このディスプレイ２０８は、たとえば、ＣＲＴ、ＴＦＴ液晶ディスプレイ、プラズマディスプレイなどを採用することができる。
【００２４】
インターフェース（以下、「Ｉ／Ｆ」と略する。）２０９は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２１４に接続され、このネットワーク２１４を介して他の装置に接続される。そして、Ｉ／Ｆ２０９は、ネットワーク２１４と内部のインターフェースを司り、外部装置からのデータの入出力を制御する。Ｉ／Ｆ２０９には、たとえばモデムやＬＡＮアダプタなどを採用することができる。
【００２５】
キーボード２１０は、文字、数字、各種指示などの入力のためのキーを備え、データの入力をおこなう。また、タッチパネル式の入力パッドやテンキーなどであってもよい。マウス２１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００２６】
スキャナ２１２は、画像を光学的に読み取り、情報表示装置２００内に画像データを取り込む。なお、スキャナ２１２は、ＯＣＲ（Ｏｐｔｉｃａｌ  Ｃｈａｒａｃｔｅｒ  Ｒｅａｄｅｒ）機能を持たせてもよい。また、プリンタ２１３は、画像データや文書データを印刷する。プリンタ２１３には、たとえば、レーザプリンタやインクジェットプリンタを採用することができる。
【００２７】
（情報表示装置の機能的構成）
つぎに、情報表示装置２００の機能的構成について説明する。図３は、情報表示装置の機能的構成を示すブロック図である。図３において、情報表示装置２００は、受付部３０１と、取得部３０２と、分類部３０３と、関連付け部３０４と、決定部３０５と、作成部３０６と、算出部３０７と、設定部３０８と、表示部３０９と、を含む構成である。この制御部となる機能（受付部３０１〜表示部３０９）は、具体的には、たとえば、図２に示したＲＯＭ２０２、ＲＡＭ２０３、磁気ディスク２０５、光ディスク２０７などの記憶装置に記憶されたプログラムをＣＰＵ２０１に実行させることにより、または、Ｉ／Ｆ２０９により、その機能を実現する。
【００２８】
受付部３０１は、情報群の表示指示を受け付ける機能を有する。ここで、情報群とは、ディスプレイ２０８に表示される任意の情報群であり、特に、表示サイズがディスプレイ２０８の画面サイズよりも大きいものである。具体的には、たとえば、受付部３０１が、キーボード２１０やマウス２１１を用いたユーザの操作入力により、情報群の表示指示を受け付けることにしてもよい。なお、受け付けた受付結果は、ＲＡＭ２０３、磁気ディスク２０５、光ディスク２０７などの記憶装置に記憶される。
【００２９】
取得部３０２は、表示対象となる情報群を取得する機能を有する。具体的には、たとえば、取得部３０２が、情報群の表示指示を受け付けた場合、データベースやライブラリからの抽出により、表示対象となる情報群を取得する。また、取得部３０２が、図２に示したＩ／Ｆ２０９を介して、外部のコンピュータ装置から情報群を取得してもよい。さらに、取得部３０２が、キーボード２１０やマウス２１１を用いたユーザの操作入力により、情報群を取得してもよい。
【００３０】
以下において本明細書では、表示対象となる情報群として、電子カルテシステムにおける電子カルテに関するサマリ情報群を例に挙げて説明する。
【００３１】
ここで、電子カルテシステムとは、医療機関において、医師が診療の経過を記入していた紙のカルテを電子化して管理するシステムである。サマリ情報とは、患者の診療内容を要約した診療項目ごとの情報である。診療項目とは、患者に対して行なわれた診療内容に応じて区分される項目であり、たとえば、処方、処置、注射、検体検査、放射線検査などである。
【００３２】
具体的には、たとえば、取得部３０２が、患者の電子カルテに含まれる診療項目ごとに、患者に対して行なわれた診療内容のサマリ情報を取得する。より具体的には、たとえば、取得部３０２が、図４に示す各種履歴ＤＢ（データベース）にアクセスして、患者の患者ＩＤに対応するレコードを抽出することにより、診療項目ごとのサマリ情報を取得することにしてもよい。
【００３３】
ここで、各種履歴ＤＢの記憶内容について説明する。図４は、各種履歴ＤＢの記憶内容の一例を示す説明図である。図４において、各種履歴ＤＢは、処方歴ＤＢ４１０と、処置歴ＤＢ４２０と、注射歴ＤＢ４３０と、検体検査ＤＢ４４０と、放射線検査ＤＢ４５０と、を含む構成である。
【００３４】
処方歴ＤＢ４１０は、患者ごとの処方歴を記憶するデータベースである。処置歴ＤＢ４２０は、患者ごとの処置歴を記憶するデータベースである。注射歴ＤＢ４３０は、患者ごとの注射歴を記憶するデータベースである。検体検査ＤＢ４４０は、患者ごとの検体検査の結果を記憶するデータベースである。放射線検査ＤＢ４５０は、患者ごとの放射線検査の結果を記憶するデータベースである。
【００３５】
ここで、処方歴ＤＢ４１０を例に挙げると、処方歴ＤＢ４１０は、患者ＩＤ、処方日、薬品名、用法および処方日数のフィールドを有する。各フィールドに情報を設定することで、患者ごとの処方歴がレコードとして記憶されている。患者ＩＤとは、患者の識別子である。処方日とは、患者に対して医薬品を処方した年月日である。薬品名は、患者に対して処方した医薬品の名称である。用法とは、医薬品の使用方法である。処方日数とは、医薬品の投与日数である。
【００３６】
ここで、処方歴４１１を例に挙げると、患者Ｐ１に対して、『２００８年２月１０日』に『１０日分』の『ムコスタ』および『バファリン』が処方されている。また、医薬品『ムコスタ』および『バファリン』の用法は、『１日１回３錠』である。
【００３７】
すなわち、取得部３０２が、各種履歴ＤＢにアクセスして、患者の患者ＩＤに対応するレコードを抽出することにより、診療項目ごとのサマリ情報を取得することができる。なお、患者ＩＤは、予め指定されて、ＲＡＭ２０３、磁気ディスク２０５、光ディスク２０７などの記憶装置に記憶されている。
【００３８】
ここで、患者Ｐ１のサマリ情報について説明する。図５は、サマリ情報群の一例を示す説明図である。図５において、サマリ情報Ｓ１〜Ｓ５は、診療項目ごとに、患者Ｐ１に対して行なわれた診療内容を要約した情報である。サマリ情報Ｓ１を例に挙げると、患者Ｐ１に対して処方された医薬品が示されている。
【００３９】
具体的には、サマリ情報Ｓ１は、処方歴ＤＢ４１０から抽出された患者ＩＤ「Ｐ１」に対応するレコード群を羅列したものである。なお、取得されたサマリ情報は、たとえば、ファイル名が付与されて、ＲＡＭ２０３、磁気ディスク２０５、光ディスク２０７などの記憶装置に記憶される。
【００４０】
分類部３０３は、取得されたサマリ情報群を、特定の表示領域に表示する第１のサマリ情報と、特定の表示領域に表示しない第２のサマリ情報と、に分類する機能を有する。ここで、特定の表示領域とは、たとえば、サマリ情報を表示するための画面内のウィンドウ（たとえば、図１に示したウィンドウ１０１，１０２）である。
【００４１】
具体的には、たとえば、分類部３０３が、サマリ情報群の表示順序と、一画面に表示可能なウィンドウの表示数とに基づいて、サマリ情報群を第１および第２のサマリ情報に分類する。ここで、ウィンドウの表示数は、たとえば、予め設定されて、ＲＡＭ２０３、磁気ディスク２０５、光ディスク２０７などの記憶装置に記憶されている。
【００４２】
より具体的には、たとえば、分類部３０３が、表示順序の早いものから順に、ウィンドウの表示数分のサマリ情報を第１のサマリ情報に分類し、残余のサマリ情報を第２のサマリ情報に分類する。分類された分類結果は、ＲＡＭ２０３、磁気ディスク２０５、光ディスク２０７などの記憶装置に記憶される。
【００４３】
決定部３０５は、サマリ情報群の表示順序を決定する機能を有する。具体的には、たとえば、決定部３０５が、閲覧者（たとえば、医師）やサマリ情報の属性に基づいて、サマリ情報群の表示順序を決定する。決定された決定結果は、ＲＡＭ２０３、磁気ディスク２０５、光ディスク２０７などの記憶装置に記憶される。なお、サマリ情報群の表示順序の決定手法についての詳細な説明は後述する。
【００４４】
関連付け部３０４は、分類された第２のサマリ情報と当該第２のサマリ情報を簡略化してあらわすシンボルとを関連付ける機能を有する。ここで、シンボルとは、第２のサマリ情報の属性（診療項目）をユーザが直感的に判断できるアイコンや文字列である。シンボルに関する情報は、たとえば、シンボルテーブル６００（図６参照）に記憶されている。
【００４５】
図６は、シンボルテーブルの一例を示す説明図である。図６において、シンボルテーブル６００は、診療項目、シンボルＩＤおよび表示内容のフィールドを有する。各フィールドに情報を設定することで、診療項目ごとのシンボルに関する情報がレコードとして記憶されている。
【００４６】
診療項目とは、サマリ情報の診療項目である。シンボルＩＤとは、シンボルの識別子である。表示内容とは、サマリ情報を簡略化した文字列をあらわす表示データである。なお、シンボルテーブル６００は、ＲＯＭ２０２、ＲＡＭ２０３、磁気ディスク２０５、光ディスク２０７などの記憶装置に記憶されている。
【００４７】
具体的には、たとえば、まず、関連付け部３０４が、シンボルテーブル６００を参照して、第２のサマリ情報の診療項目に対応するシンボルを特定する。このあと、関連付け部３０４が、第２のサマリ情報と、特定されたシンボルとを関連付ける。より具体的には、たとえば、関連付け部３０４が、第２のサマリ情報のファイル名と、特定されたシンボルとを関連付けることにしてもよい。
【００４８】
図７は、関連付け結果テーブルの一例を示す説明図である。図７において、関連付け結果テーブル７００は、診療項目、シンボルＩＤ、表示内容およびファイル名のフィールドを有する。各フィールドに情報を設定することで、関連付け結果がレコードとして記憶されている。
【００４９】
診療項目とは、第２のサマリ情報に分類されたサマリ情報の診療項目である。シンボルＩＤとは、第２のサマリ情報を簡略化してあらわすシンボルの識別子である。表示内容とは、第２のサマリ情報を簡略化した文字列をあらわす表示データである。ファイル名とは、サマリ情報に付与されたファイル名である。なお、関連付け結果テーブル７００は、ＲＡＭ２０３、磁気ディスク２０５、光ディスク２０７などの記憶装置に記憶されている。
【００５０】
図３の説明に戻り、表示部３０９は、第１のサマリ情報と、第２のサマリ情報と関連付けられたシンボルとをディスプレイ２０８に表示する機能を有する。具体的には、たとえば、表示部３０９が、画面内の特定の表示領域に第１のサマリ情報を表示するとともに、画面内の特定の表示領域とは異なる残余の領域にシンボルを表示する。
【００５１】
作成部３０６は、患者の電子カルテを要約してあらわすサマリ画面を作成する機能を有する。具体的には、たとえば、作成部３０６が、画面テンプレートに第１のサマリ情報を埋め込むとともに、第２のサマリ情報を簡略化してあらわすシンボルを埋め込むことにより、サマリ画面を作成する。
【００５２】
ここで、サマリ画面を作成するために用いる画面テンプレートについて説明する。図８は、画面テンプレートの一例を示す説明図である。画面テンプレート８００において、ウィンドウＷ１〜Ｗ３は、第１のサマリ情報を表示するための表示領域である。また、ボタンウィンドウＢＷ１，ＢＷ２は、第２のサマリ情報を簡略化してあらわすシンボルを表示するための表示領域である。
【００５３】
さらに、ウィンドウＷ１〜Ｗ３およびボタンウィンドウＢＷ１，ＢＷ２には優先順位が設定されている。ここでは、ウィンドウＷ１〜Ｗ３の優先順位が『Ｗ１→Ｗ２→Ｗ３』に設定され、ボタンウィンドウＢＷ１，ＢＷ２の優先順位が『ＢＷ１→ＢＷ２』に設定されている。
【００５４】
すなわち、作成部３０６が、画面テンプレート８００のウィンドウＷ１〜Ｗ３に第１のサマリ情報を埋め込むとともに、ボタンウィンドウＢＷ１，ＢＷ２にシンボルを埋め込むことによりサマリ画面を作成する。このとき、表示順序の早いサマリ情報を優先順位の高いウィンドウＷ１〜Ｗ３、ボタンウィンドウＢＷ１，ＢＷ２に埋め込むことになる。
【００５５】
またこの場合、表示部３０９が、作成されたサマリ画面をディスプレイ２０８に表示することになる。なお、サマリ画面の具体例については図１７を用いて後述する。また、画面テンプレート８００は、ＲＡＭ２０３、磁気ディスク２０５、光ディスク２０７などの記憶装置に記憶されている。
【００５６】
また、受付部３０１は、サマリ画面が表示された結果、シンボルと関連付けられた第２のサマリ情報の表示指示を受け付ける機能を有する。具体的には、たとえば、受付部３０１が、キーボード２１０やマウス２１１を用いたユーザの操作入力により、ボタン化されたシンボルをクリックすることで第２の情報の表示指示を受け付ける。
【００５７】
また、表示部３０９は、第２のサマリ情報の表示指示を受け付けた場合、シンボルと関連付けられた第２の情報をディスプレイ２０８に表示する機能を有する。具体的には、たとえば、表示部３０９が、関連付け結果テーブル７００を参照して、クリックされたシンボルＭ２と関連付けられているファイル名のサマリ情報Ｓ２を記憶装置から読み出す。そして、表示部３０９が、サマリ情報Ｓ２をサマリ画面内の任意の領域にポップアップ表示する。
【００５８】
（サマリ情報群の表示順序の決定手法）
つぎに、サマリ情報群の表示順序の決定手法について説明する。サマリ情報群の表示順序は、ユーザや各サマリ情報の属性に基づいて動的に決定する。ここでは、患者Ｐ１のサマリ情報群Ｓ１〜Ｓ５を例に挙げて、第１〜第４の決定手法について説明する。
【００５９】
（第１の決定手法）
決定部３０５は、サマリ情報Ｓ１〜Ｓ５ごとの属性に基づいて、サマリ情報Ｓ１〜Ｓ５群の表示順序を決定する。具体的には、たとえば、決定部３０５が、更新日時が最新のサマリ情報を早い順序に決定してもよく、また、データ量が多いサマリ情報を早い順序に決定してもよい。
【００６０】
これにより、更新日時が新しいサマリ情報やデータ量が多いサマリ情報を、ウィンドウＷ１〜Ｗ３に優先的に表示することができる。
【００６１】
（第２の決定手法）
決定部３０５は、患者Ｐ１の主病名に基づいて、サマリ情報群Ｓ１〜Ｓ５の表示順序を決定する。ここではまず、決定処理に用いる病名テーブルおよびオーダ回数ＤＢの記憶内容について説明する。図９は、病名テーブルの記憶内容の一例を示す説明図である。図９において、病名テーブル９００は、患者ＩＤ、主病名、氏名、生年月日および性別のフィールドを有する。各フィールドに情報を設定することで、患者ごとの病名情報９００−１〜９００−ｎがレコードとして記憶されている。
【００６２】
患者ＩＤとは、患者の識別子である。主病名とは、患者の病気や症状の名称である。氏名とは、患者の氏名である。生年月日とは、患者の生年月日である。性別とは、患者の性別である。ここで、病名情報９００−１を例に挙げると、患者Ｐ１の主病名は「Ｉ１」、氏名は「吉田晋作」、生年月日は「１９３０年９月２０日」、性別は「男」である。
【００６３】
図１０は、オーダ回数ＤＢの記憶内容の一例を示す説明図である。図１０において、オーダ回数ＤＢ１０００は、主病名、処方回数、処置回数、注射回数、検体検査回数および放射線検査回数のフィールドを有する。各フィールドに情報を設定することで、主病名ごとのオーダ情報１０００−１〜１０００−ｍがレコードとして記憶されている。
【００６４】
主病名とは、病気や症状の名称である。処方回数とは、患者に対して医薬品を処方したオーダ回数である。処置回数とは、患者に対して処置を行なったオーダ回数である。注射回数とは、患者に対して注射を行なったオーダ回数である。検体検査回数とは、患者に対して検体検査を行なったオーダ回数である。放射線検査回数とは、患者に対して放射線検査を行なったオーダ回数である。
【００６５】
ここで、オーダ情報１０００−１を例に挙げると、主病名Ｉ１と診断された患者に対して行なわれた診療内容ごとのオーダ回数が記憶されている。具体的には、処方回数は２００回、処置回数は２０回、注射回数は５０回、検体検査回数は１００回、放射線検査回数は１０回である。
【００６６】
なお、図９および図１０に示したデータベース等は、たとえば、ＲＡＭ２０３、磁気ディスク２０５、光ディスク２０７などの記憶装置に記憶されていてもよく、また、外部のコンピュータ装置に記憶されていてもよい。より具体的には、たとえば、電子カルテシステムにおける各種情報を管理するサーバに記憶されていてもよい。
【００６７】
ここで、患者ＩＤを「Ｐ１」とすると、決定部３０５が、まず、病名テーブル９００を参照して、患者ＩＤに対応する病名情報９００−１を検索し、患者Ｐ１の主病名「Ｉ１」を特定する。このあと、決定部３０５が、オーダ回数ＤＢ１０００を参照して、主病名に対応するオーダ情報１０００−１を検索し、診療項目ごとのオーダ回数を特定する。ここでは、診療項目ごとのオーダ回数は、処方（２００回）、処置（２０回）、注射（５０回）、検体検査（１００回）、放射線検査（１０回）となる。
【００６８】
そして、決定部３０５が、診療項目ごとのオーダ回数にしたがって、サマリ情報群Ｓ１〜Ｓ５の表示順序を決定する。ここでは、サマリ情報群Ｓ１〜Ｓ５の表示順序は『Ｓ１→Ｓ４→Ｓ３→Ｓ２→Ｓ５』となる。なお、オーダ回数が同一の診療項目が複数存在する場合は、それらサマリ情報の順序は任意に決定することにしてもよい。
【００６９】
これにより、診察対象となる患者と同一の病名の患者に対して行なわれた診療項目のオーダ回数が多いサマリ情報を、ウィンドウＷ１〜Ｗ３に優先的に表示することができる。
【００７０】
（第３の決定手法）
決定部３０５は、ユーザの属性に基づいて、サマリ情報群の表示順序を決定する。ユーザの属性とは、たとえば、サマリ画面を閲覧する医師が所属する診療科である。具体的には、たとえば、まず、決定部３０５が、図１１に示す所属科テーブル１１００を参照して、医師の医師ＩＤに対応する診療科を特定する。
【００７１】
図１１は、所属科テーブルの記憶内容の一例を示す説明図である。図１１において、所属科テーブル１１００は、医師ＩＤおよび所属科のフィールドを有している。各フィールドに情報を設定することで、医師の所属科がレコードとして記憶されている。
【００７２】
医師ＩＤとは、医師の識別子である。所属科とは、医師が所属する診療科である。ここで、医師ＩＤを「Ｄ２」とすると、決定部３０５が、所属科テーブル１１００を参照して、医師Ｄ２の所属科「外科」を特定する。このあと、決定部３０５が、図１２に示すクリック回数ＤＢ１２００を参照して、所属科に対応するレコードを検索し、診療項目ごとのクリック回数を特定する。
【００７３】
図１２は、クリック回数ＤＢの記憶内容の一例を示す説明図である。図１２において、クリック回数ＤＢ１２００は、所属科、処方、処置、注射、検体検査および放射線検査のフィールを有している。各フィールドに情報を設定することで、診療項目ごとのクリック回数が所属科ごとにレコードとして記憶されている。
【００７４】
クリック回数とは、図１６に示すカルテ画面１６３０において、最初にクリックした詳細ボタンＢ１〜Ｂ５の累積回数である。クリック回数ＤＢ１２００を参照することにより、各診療科の医師が、患者の診察時にどの診療項目を重要視しているのかを推定することができる。すなわち、累積ボタン回数が多い情報ほど、最初に詳細を確認したい診療項目であり、最も重要視している診療項目であると推定することができる。
【００７５】
具体的には、たとえば、決定部３０５が、クリック回数ＤＢ１２００を参照して、所属科「外科」に対応する診療項目ごとのクリック回数を特定する。ここでは、詳細ボタンＢ１のクリック回数は５回、詳細ボタンＢ２のクリック回数は１０回、詳細ボタンＢ３のクリック回数は３０回、詳細ボタンＢ４のクリック回数は０回、詳細ボタンＢ５のクリック回数は５回である。
【００７６】
そして、決定部３０５が、診療項目ごとのクリック回数にしたがって、サマリ情報群Ｓ１〜Ｓ５の表示順序を決定する。ここでは、サマリ情報群Ｓ１〜Ｓ５の表示順序は『Ｓ３→Ｓ２→Ｓ１→Ｓ５→Ｓ４』となる。なお、図１１および図１２に示したデータベース等は、たとえば、ＲＡＭ２０３、磁気ディスク２０５、光ディスク２０７などの記憶装置に記憶されていてもよく、また、外部のコンピュータ装置に記憶されていてもよい。
【００７７】
これにより、患者の診察時に閲覧者の医師と同じ診療科に所属する医師が重要視している診療項目のサマリ情報を、ウィンドウＷ１〜Ｗ３に優先的に表示することができる。
【００７８】
（第４の決定手法）
決定部３０５は、表示順序に関するサマリ情報ごとの優先度に基づいて、サマリ情報群の表示順序を決定する。算出部３０７は、サマリ情報群の表示順序に関する優先度をサマリ情報ごとに算出する。具体的には、たとえば、算出部３０７が、患者の主病名と関連付けられた診療項目ごとのオーダ回数と、医師が所属する診療科の診療項目ごとのクリック回数と、に基づいて、サマリ情報ごとの優先度を算出する。
【００７９】
ここで、優先度を算出する具体的な処理内容について説明する。まず、算出部３０７が、所属科テーブル１１００を参照して、医師の医師ＩＤに対応する診療科を特定する。このあと、算出部３０７が、医師が所属する診療科の診療項目ごとのクリック回数を正規化して、診療項目ごとの重み付け係数を算出する。
【００８０】
より具体的には、たとえば、算出部３０７が、診療項目ごとのクリック回数を総クリック回数で除算することにより、診療項目ごとの重み付け係数を算出することができる。ここでは、医師が所属する診療科を「外科」とする。図１３は、重み付け係数テーブルの一例を示す説明図である。図１３において、重み付け係数テーブル１３００は、外科の診療項目ごとの重み付け係数を有している。
【００８１】
つぎに、算出部３０７が、病名テーブル９００を参照して、患者ＩＤに対応する主病名を特定する。そして、算出部３０７が、オーダ回数ＤＢ１０００を参照して、主病名に対応する診療項目ごとのオーダ回数を特定する。このあと、算出部３０７が、診療項目ごとのオーダ回数と重み付け係数とを掛け合わせることにより、サマリ情報の表示順序に関する優先度を算出する。
【００８２】
具体的には、たとえば、算出部３０７が、下記式（１）を用いて、サマリ情報ごとの表示順序に関する優先度を算出することができる。ただし、ＯＰは優先度、ＯＮはオーダ回数、ＷＣは重み付け係数である。
【００８３】
ＯＰ＝ＯＮ×ＷＣ          ・・・（１）
【００８４】
図１４は、優先度テーブルの一例を示す説明図である。ただし、患者の主病名を「Ｉ１」とする。図１４において、優先度テーブル１４００は、サマリ情報Ｓ１〜Ｓ５ごとの表示順序に関する優先度を有している。この場合、決定部３０５が、優先度テーブル１４００を参照して、サマリ情報Ｓ１〜Ｓ５の表示順序を決定することになる。
【００８５】
ここでは、サマリ情報群Ｓ１〜Ｓ５の表示順序は『Ｓ１→Ｓ２→Ｓ３→Ｓ５→Ｓ４』となる。なお、図１３および図１４に示した各種テーブルは、たとえば、ＲＡＭ２０３、磁気ディスク２０５、光ディスク２０７などの記憶装置に記憶されている。
【００８６】
これにより、患者の主病名と、患者の診察時に各診療科の医師が重要視している診療項目とを考慮して、ウィンドウＷ１〜Ｗ３に優先的に表示するサマリ情報を決定することができる。
【００８７】
（ウィンドウの表示数）
つぎに、ディスプレイ２０８の画面解像度に基づいて、一画面に表示可能なウィンドウの表示数を設定する場合について説明する。設定部３０８は、一画面に表示可能な特定の表示領域の表示数を設定する機能を有する。具体的には、たとえば、設定部３０８が、図１５に示す表示数テーブル１５００を参照して、一画面に表示可能なウィンドウの表示数を設定する。
【００８８】
図１５は、表示数テーブルの一例を示す説明図である。図１５において、表示数テーブル１５００は、画面解像度および表示可能数のフィールドを有する。各フィールドに情報を設定することで、画面解像度ごとのウィンドウの表示可能数がレコードとして記憶されている。
【００８９】
画面解像度とは、表示画面（たとえば、ディスプレイ２０８）の解像度である。表示可能数とは、一画面に表示可能なウィンドウの表示数である。ここで、ディスプレイ２０８の解像度を「２０４８×１５３６ピクセル」とする。なお、ディスプレイ２０８の解像度は、たとえば、ＲＯＭ２０２、ＲＡＭ２０３、磁気ディスク２０５、光ディスク２０７などの記憶装置に記憶されている。
【００９０】
この場合、設定部３０８が、表示数テーブル１５００を参照して、ディスプレイ２０８の解像度に対応する表示数「５」を特定し、一画面に表示可能なウィンドウの表示数を「５」に設定する。そして、分類部３０３が、サマリ情報群の表示順序と、設定されたウィンドウの表示数とに基づいて、サマリ情報群を第１および第２のサマリ情報に分類する。
【００９１】
また、画面テンプレートを用いてサマリ画面を作成する場合、設定されたウィンドウの表示数に対応する画面テンプレートを選択して、サマリ画面を作成することになる。なお、一画面に表示可能なウィンドウの表示数は、ディスプレイ２０８の解像度とウィンドウの表示サイズに基づいて算出することにしてもよい。
【００９２】
これにより、サマリ画面内のウィンドウの表示数を、ディスプレイ２０８の解像度に応じて適切に設定することが可能となり、サマリ画面の視認性を向上させることができる。
【００９３】
（電子カルテシステムの画面例）
つぎに、電子カルテシステムの画面例について説明する。ここでは、患者の診察時に医師が行なう一連の画面操作について説明する。図１６は、電子カルテシステムの画面例を示す説明図である。
【００９４】
（１）入力画面１６１０において、医師が、キーボード２１０やマウス２１１を用いて、医師ＩＤを入力する。医師ＩＤの入力が完了すると、ディスプレイ２０８に入力画面１６２０が表示される。なお、入力された医師ＩＤは、ＲＡＭ２０３、磁気ディスク２０５、光ディスク２０７などの記憶装置に記憶される。
【００９５】
（２）入力画面１６２０において、医師が、キーボード２１０やマウス２１１を用いて、これから診察を行なう患者の患者ＩＤを入力する。患者ＩＤの入力が完了すると、ディスプレイ２０８にカルテ画面１６３０が表示される。なお、入力された医師ＩＤは、ＲＡＭ２０３、磁気ディスク２０５、光ディスク２０７などの記憶装置に記憶される。
【００９６】
（３）カルテ画面１６３０において、医師が、キーボード２１０やマウス２１１を用いて、サマリボタンＢ６をクリックすると、ディスプレイ２０８に電子カルテを要約したサマリ画面が表示される。なお、サマリ画面については図１７を用いて後述する。
【００９７】
また、カルテ画面１６３０において、医師が、キーボード２１０やマウス２１１を用いて、詳細ボタンＢ１〜Ｂ５をクリックすると、ディスプレイ２０８に各診療項目の詳細画面（不図示）が表示される。なお、詳細画面とは、患者Ｐ１に対して行なわれた診療内容を詳細に表示する画面である。また、カルテ画面１６３０において、最初にクリックした詳細ボタンＢ１〜Ｂ５のクリック回数は、クリック回数ＤＢ１２００に記憶される。
【００９８】
（サマリ画面）
つぎに、患者Ｐ１の電子カルテに関するサマリ画面について説明する。ただし、サマリ情報群Ｓ１〜Ｓ５の表示順序を『Ｓ１→Ｓ４→Ｓ５→Ｓ２→Ｓ３』とする。図１７は、サマリ画面の一例を示す説明図である。
【００９９】
図１７において、サマリ画面１７００には、サマリ情報Ｓ１，Ｓ４，Ｓ５とともに、サマリ情報Ｓ２，Ｓ３を簡略化してあらわすシンボルＭ２，Ｍ３がボタン化（詳細ボタンＢ８，Ｂ７）されて表示されている。サマリ画面１７００によれば、サマリ情報群Ｓ１〜Ｓ５全体を閲覧者（たとえば、医師）が直感的に把握できるようになり、患者の状況を迅速に把握することができる。
【０１００】
これにより、たとえば、多くの医師が在籍する大学病院などにおいて、主治医以外の医師であっても患者の状況を迅速かつ的確に把握することができる。特に、救急の患者などに対する迅速な対応が要求される医療現場においては、患者の生存率の向上につながる。
【０１０１】
また、サマリ画面１７００において、詳細ボタンＢ７，Ｂ８をクリックすると、シンボルＭ２，Ｍ３と関連付けられているサマリ情報Ｓ２，Ｓ３がポップアップ表示される。具体的には、たとえば、詳細ボタンＢ７がクリックされると、表示部３０９が、関連付け結果テーブル７００を参照して、シンボルＭ３に対応するファイルを記憶装置から読み出して、ディスプレイ２０８に表示する。これにより、非表示のサマリ情報Ｓ２，Ｓ３を表示させるために、表示内容をスクロールさせる面倒な画面操作が不要となり、ユーザの利便性を向上させることができる。
【０１０２】
（情報表示装置の情報表示処理手順）
つぎに、実施の形態にかかる情報表示装置２００の情報表示処理手順について説明する。図１８は、情報表示装置の情報表示処理手順の一例を示すフローチャートである。図１８のフローチャートにおいて、まず、受付部３０１により、医師ＩＤの入力を受け付けたか否かを判断する（ステップＳ１８０１）。
【０１０３】
ここで、医師ＩＤが入力されるのを待って（ステップＳ１８０１：Ｎｏ）、入力を受け付けた場合（ステップＳ１８０１：Ｙｅｓ）、受付部３０１により、患者ＩＤの入力を受け付けたか否かを判断する（ステップＳ１８０２）。そして、患者ＩＤが入力されるのを待って（ステップＳ１８０２：Ｎｏ）、入力を受け付けた場合（ステップＳ１８０２：Ｙｅｓ）、表示部３０９により、患者ＩＤに対応する電子カルテをディスプレイ２０８に表示する（ステップＳ１８０３）。
【０１０４】
このあと、受付部３０１により、サマリ画面の表示指示を受け付けたか否かを判断する（ステップＳ１８０４）。ここで、サマリ画面の表示指示を受け付けるのを待って（ステップＳ１８０４：Ｎｏ）、受け付けた場合（ステップＳ１８０４：Ｙｅｓ）、取得部３０２により、患者ＩＤに対応するレコードを各種履歴ＤＢの中から抽出することにより、診療項目ごとのサマリ情報を取得する（ステップＳ１８０５）。
【０１０５】
つぎに、決定部３０５により、取得されたサマリ情報群の表示順序を決定する表示順序決定処理を実行する（ステップＳ１８０６）。そして、分類部３０３により、決定されたサマリ情報群の表示順序と、一画面に表示可能なウィンドウの表示数とに基づいて、サマリ情報群を第１および第２のサマリ情報に分類する（ステップＳ１８０７）。
【０１０６】
このあと、関連付け部３０４により、分類された第２のサマリ情報と当該第２のサマリ情報を簡略化してあらわすシンボルとを関連付ける（ステップＳ１８０８）。そして、作成部３０６により、画面テンプレートに第１のサマリ情報を埋め込むとともに、第２のサマリ情報を簡略化してあらわすシンボルを埋め込むことによりサマリ画面を作成する（ステップＳ１８０９）。
【０１０７】
つぎに、表示部３０９により、作成されたサマリ画面をディスプレイ２０８に表示する（ステップＳ１８１０）。このあと、受付部３０１により、シンボルと関連付けられた非表示の第２のサマリ情報の表示指示を受け付けたか否かを判断する（ステップＳ１８１１）。
【０１０８】
ここで、非表示の第２のサマリ情報の表示指示を受け付けるのを待って（ステップＳ１８１１：Ｎｏ）、受け付けた場合（ステップＳ１８１１：Ｙｅｓ）、表示部３０９により、関連付け結果を参照して、シンボルと関連付けられた第２のサマリ情報を記憶装置から読み出す（ステップＳ１８１２）。
【０１０９】
そして、表示部３０９により、読み出した第２のサマリ情報をディスプレイ２０８にポップアップ表示して（ステップＳ１８１３）、本フローチャートによる一連の処理を終了する。
【０１１０】
なお、一画面に表示可能なウィンドウの表示数は、予め設定されて記憶装置に記憶されていてもよく、また、設定部３０８によってディスプレイ２０８の解像度に基づいて設定されたものであってもよい。
【０１１１】
つぎに、図１８に示したステップＳ１８０６における表示順序決定処理の具体的処理手順について説明する。ここでは、上述した第１〜第４の決定手法のうち第４の決定手法を例に挙げて、表示順序決定処理の具体的処理手順について説明する。
【０１１２】
図１９は、表示順序決定処理の具体的処理手順の一例を示す説明図である。図１９のフローチャートにおいて、まず、算出部３０７により、所属科テーブル１１００を参照して、医師ＩＤに対応する診療科を特定する（ステップＳ１９０１）。
【０１１３】
このあと、算出部３０７により、特定された診療科の診療項目ごとのクリック回数を正規化して、診療項目ごとの重み付け係数を算出する（ステップＳ１９０２）。つぎに、算出部３０７により、病名テーブル９００を参照して、患者ＩＤに対応する主病名を特定する（ステップＳ１９０３）。
【０１１４】
そして、算出部３０７により、オーダ回数ＤＢ１０００を参照して、特定された主病名に対応する診療項目ごとのオーダ回数を特定する（ステップＳ１９０４）。このあと、算出部３０７により、診療項目ごとのオーダ回数と重み付け係数とを掛け合わせることにより、サマリ情報群の表示順序に関する優先度をサマリ情報ごとに算出する（ステップＳ１９０５）。
【０１１５】
最後に、決定部３０５により、算出されたサマリ情報ごとの優先度に基づいて、サマリ情報群の表示順序を決定して（ステップＳ１９０６）、図１８に示したステップＳ１８０７に移行する。
【０１１６】
以上説明したように、本開示技術は、表示対象となるサマリ情報群の表示順序と一画面に表示可能なウィンドウの表示数に基づいて、サマリ情報群を第１および第２のサマリ情報に分類する。そして、本開示技術は、第１のサマリ情報と、第２のサマリ情報を簡略化してあらわすシンボルと、を表示画面に表示する。これにより、一画面に表示しきれないサマリ情報群の一覧性を向上させることができる。
【０１１７】
また、本開示技術は、シンボルと関連付けられた第２のサマリ情報の表示指示を受け付けると、非表示の第２のサマリ情報をポップアップ表示する。これにより、非表示のサマリ情報を表示させるために表示内容をスクロールさせるなどの面倒な画面操作が不要となり、ユーザの利便性を向上させることができる。
【０１１８】
また、本開示技術は、サマリ情報ごとの更新日時や情報量に基づいて、サマリ情報群の表示順序を決定してもよい。これにより、更新日時が最近のサマリ情報やデータ量が多いサマリ情報を、サマリ画面に優先的に表示することができる。
【０１１９】
また、本開示技術は、患者の主病名に基づいて、サマリ情報群の表示順序を決定してもよい。これにより、診察対象の患者と同一の病名の患者に対して行なわれた診療項目のオーダ回数が多いサマリ情報を、サマリ画面に優先的に表示することができる。
【０１２０】
また、本開示技術は、医師が所属する診療科に基づいて、サマリ情報群の表示順序を決定してもよい。これにより、患者の診察時に各診療科の医師が重要視している診療項目のサマリ情報を、サマリ画面に優先的に表示することができる。
【０１２１】
また、本開示技術は、患者の主病名と医師が所属する診療科に基づいて、表示順序に関するサマリ情報ごとの優先度を算出する。そして、本開示技術は、サマリ情報ごとの優先度に基づいて、サマリ情報群の表示順序を決定してもよい。これにより、患者の主病名と、患者の診察時に各診療科の医師が重要視している診療項目とを考慮して、ウィンドウＷ１〜Ｗ３に優先的に表示するサマリ情報を決定することができる。
【０１２２】
なお、本実施の形態で説明した情報表示方法は、予め用意されたプログラムをパーソナル・コンピュータやワークステーション等のコンピュータで実行することにより実現することができる。本情報表示プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本情報表示プログラムは、インターネット等のネットワークを介して配布してもよい。
【符号の説明】
【０１２３】
２００  情報表示装置
３０１  受付部
３０２  取得部
３０３  分類部
３０４  関連付け部
３０５  決定部
３０６  作成部
３０７  算出部
３０８  設定部
３０９  表示部
【図１】
2010198295.tif 000003
【図２】
2010198295.tif 000004
【図３】
2010198295.tif 000005
【図４】
2010198295.tif 000006
【図５】
2010198295.tif 000007
【図６】
2010198295.tif 000008
【図７】
2010198295.tif 000009
【図８】
2010198295.tif 000010
【図９】
2010198295.tif 000011
【図１０】
2010198295.tif 000012
【図１１】
2010198295.tif 000013
【図１２】
2010198295.tif 000014
【図１３】
2010198295.tif 000015
【図１４】
2010198295.tif 000016
【図１５】
2010198295.tif 000017
【図１６】
2010198295.tif 000018
【図１７】
2010198295.tif 000019
【図１８】
2010198295.tif 000020
【図１９】
2010198295.tif 000021